(57)【特許請求の範囲】
【請求項１】
扇ぎ葉に入れた畳み線によって本体は折畳まれる構造を成しており、該畳み線を介して一方の外室が延設されており、該畳み線を介して他方の外室が延設されており、該外室の各々の天縁から外天切込が入れられており、本体の折畳み状態で重なり合った該外天切込の隣接領域を互いに逆方向の前後に軽く湾曲させた該湾曲で該外天切込の縁領域どうしが重なり合って固定されることを特徴とする紙扇子天切込固定構造。
【請求項２】
外天切込の上部を一方へ僅かにズラせて一方の凸縁を形成しており、別の外天切込の上部を他方へ僅かにズラせて他方の凸縁を形成しており、一方の凸縁と他方の凸縁とが互いに逆方向へ突出していることで、該外天切込の縁領域どうしが重なり合って固定されることを特徴とする請求項１記載の紙扇子天切込固定構造。
【請求項３】
中室の天縁から中天切込を入れ、該中室の前後を外室の双方で挟み込んで三枚重ねの折畳み状態を形成し、該中天切込の隣接領域と重なり合う領域面も重ね合わせた状態で該中天切込の隣接領域を互いに逆方向の前後に軽く湾曲させた該湾曲で、該中天切込から食み出す凸縁どうしが重なり合って固定されることを特徴とする請求項１または請求項２記載の紙扇子天切込固定構造。
【発明の詳細な説明】
【技術分野】
【０００１】
本発明は、紙扇子の折畳み固定構造に関する物である。
【背景技術】
【０００２】
従来の紙扇子折畳み固定構造は、特許文献１で、扇ぎ葉１に二本入れられた畳折線６を同じ方向へ折り曲げて重なり合う外室どうしで、一方の外室の角を他方の外室に切り込まれた畳入溝７へ差し込んで固定する構造、
特許文献２で、支点７を中心点として回転移動する扇ぎ葉どうしの頂部に入れられた、Ｌ字形状の切込１１どうしを組み込んで固定する構造の物であった。
【先行技術文献】
【特許文献】
【０００３】
【特許文献１】特開平１１−３１８５３１号
【特許文献２】特開２０１４−２１０１６９号
【発明の概要】
【発明が解決しようとする課題】
【０００４】
従来の技術は、特許文献１で、一方の外室の角を他方の外室の畳入溝７へ差し込む動作が必要であり、
特許文献２で、Ｌ字形状の切込１１は大きく屈曲した切込形状なので、支点７を中心点として回転移動する扇ぎ葉どうしの固定でしか利用できない、という問題点があった。本発明では前記のような問題の解決を課題にする。
【課題を解決するための手段】
【０００５】
畳み線の一方と他方に外室を延設しており、該双方の外室の各々の天縁から外天切込を入れており、該畳み線の折り返しによって該外室どうしは折り重なって折畳み状態を形成し、該折畳み状態で重なり合う外天切込どうしは、双方で僅かに左右方向へズレていて、前記のズレた領域の上部を凸縁とし、該外天切込の左右領域を重ね合わせた状態で互いに逆方向の前後へ少しだけ湾曲させ、該湾曲によって該凸縁どうしが僅かに重なり合って、該外天切込の縁領域どうしが固定される構造にして設ける。
【発明の効果】
【０００６】
畳み線の折り返しで折畳み状態を形成でき、折畳み状態で重なり合う外室の外天切込の左右領域を互い違いの前後に湾曲させることで、凸縁どうしが僅かに重なり合って、本体の折畳み状態の固定ができる。
【図面の簡単な説明】
【０００７】
【図１】図１は開き状態の正面図である。（実施例１）
【図２】図２は閉じ状態固定前の要部透視正面斜視図である。
【図３】図３は閉じ状態固定前の要部透視正面斜視図で下部を破り落とした状態の上部拡大図である。
【図４】図４は閉じ状態固定後の要部透視正面斜視図で下部を破り落とした状態の上部拡大図である。
【図５】図５は開き状態の正面図である。（実施例２）
【発明を実施するための形態】
【０００８】
紙扇子の折畳み状態を、ワンタッチで固定できることを実現した。
【実施例１】
【０００９】
図１は開き状態の正面図である。折線は一点鎖線で示し、縁及び切線は一本の実線で示し、引き出し（指示）線は細い曲線で示す。山折と谷折で表示する折り曲げ方向は開き状態での正面方向からを基準にする。左右方向を横とし、天地方向を縦とし、正面背面方向を前後とする。符号は数字で表示するが、同じ符号が複数ある場合は符号の後ろに一方をａ、他方をｂとする補助符号を表示することにし、該補助符号を表示しない場合は一方と他方の総称（双方を指示）とし、一方と他方の位置関係は限定ではないが、開き状態図の図面上での左を一方とし右を他方とする。本発明を形成する素材は限定ではなく、プラスチックであっても良いが、適宜に腰のある厚紙であることが望ましく、前記厚紙の硬さは楽に折り曲げられて適宜に湾曲して扇ぎ使用に耐えられる硬さであれば良く、具体的に述べるならば、官製ハガキよりも二倍以上硬ければ目的を果たせる。
【００１０】
本体１の基盤となる扇ぎ葉２の形状は限定ではなく、円形やハート型、熊や猫や犬などの動物の輪郭形状であっても良いが、実施例１では角の丸い略扇形状を具体的な形状にする。
【００１１】
扇ぎ葉２を折畳むための畳み線３は一本であっても良いが、二本であることが望ましい。該畳み線３どうしは並行であっても良いが、上広がりの放射線にすることが望ましい。該放射線の起点は該扇ぎ葉２の下部面上にあっても良いが、該扇ぎ葉２から下へ出た位置であることが望ましい。
【００１２】
二本の畳み線３に挟まれた領域を中室４とし、該畳み線３は二本の放射線であることから該中室４は上広がりの縦長略扇形状であることが望ましい。
【００１３】
中室４の一方の側辺に一方の畳み線３ａを介して一方の外室５ａを延設しており、該中室４の他方の側辺に他方の畳み線３ｂを介して他方の外室５ｂを延設している。
【００１４】
畳み線３の双方を折り返すことで外室５の双方は中室４と重なり合う位置関係で本体１は折り畳まれる構造を成している。双方の該外室５に天縁から外天切込６を入れており、該一方の外室５ａに入れた方を一方の外天切込６ａとし、該他方の外室５ｂに入れた方を他方の外天切込６ｂとする。
【００１５】
本体１の折畳み状態で双方が重なり合う外室５の天縁から入れられた外天切込６の双方は、互いに重なり合う位置関係であるが、適宜に僅かなズレを生じさせており、該外天切込６どうしのズレは限定ではないが、天地に細長いＸ形状に交差しているズレであることが望ましく、Ｘ交差ズレの上部で相手側へ出ている僅かな領域を凸縁７とする。一方の外天切込６ａ側を一方の凸縁７ａとし、他方の外天切込６ｂ側を他方の凸縁７ｂとする。
【００１６】
該凸縁７の突出寸法は限定ではなく、ほんの少しだけ突出しているだけで良く、具体的に述べるならば、厚紙の厚み程度である１ミリメートル程の突出で充分であり、外天切込６の入れられた角領域だけが凸縁７であっても良いが、該凸縁７は隣の畳み線３と略平行な縁で突出していることが強度的に望ましい。
【００１７】
該凸縁７の突出方向は限定ではないが、突出方向を具体的に述べるならば、一方の凸縁７ａは一方へ僅かに突出しており、他方の凸縁７ｂは他方へ僅かに突出している構造が望ましい。
【００１８】
畳み線３の折り曲げ方向は限定ではなく、使用者が自由に変更できるのであるが、特許の内容を明瞭にするために具体的な折り曲げ方向を述べるならば、一方の畳み線３ａは谷折にし、他方の畳み線３ｂは山折にして、本体１の折畳み状態を真上から見る平面図で述べるならば、Ｚ字形状に折り畳まれる構造であることが望ましい。
【００１９】
実施例１は角の丸い略扇形状であることから、本体１をＺ状に折り畳めば中室４の上端領域が外室５の双方から挟まれる状態になる。該中室４の天縁から中天切込８を設けていることで、凸縁７を食み出すための隙間となり、該中室４の前後に該外室５の双方が重なり合った状態で、該中天切込８の隣接領域を互い違いの前後に軽く湾曲させることで双方の凸縁７どうしは僅かに重なり合った状態で軽く固定されるので、本体１の折畳み状態が固定される。
【００２０】
一方の凸縁７ａが一方へ突出し、他方の凸縁７ｂが他方に突出している構造では、一方の畳み線３ａを谷折し、他方の畳み線３ｂを山折して、本体１を真上から見た状態でＺ状に折り畳んだ状態ならば、中天切込８の右隣接領域を正面へ湾曲させ、該中天切込８の左隣接領域を背面へ湾曲させることで、一方の凸縁７ａが正面へ突き出し、他方の凸縁７ｂが背面へ突き出るので、該凸縁７の双方は互いに前後の重なりを入れ替えられるので、該凸縁７どうしが僅かに重なり合って軽く固定される。
【００２１】
本体１をＺ状に折り畳んだことで、外室５の幅よりも中室４を細くしても折畳むことが可能になり、中室４を細くできたことで、本体１の下部を片手で挟み込んで掴んだ場合、中室４から隣接の外室５にも指が届くので、扇ぎ使用中に畳み線３の折れ曲がりを防止できる。
【００２２】
本体１は穴の無い面であっても良いが、下部中央に指穴９を開けることが望ましく、該指穴９を開けたことで指を引っ掛けて持つことができるので、持ち易く、扇ぎ易くなる。
【００２３】
該指穴９の形状は限定ではなく、円形であっても良いが、中室４の下部を横断して、該指穴９の左右両端は畳み線３の双方の同一線上に重なる直線であることが望ましい。
【００２４】
該指穴９と該畳み線３との間が離れていると、該離れた領域は細いので不必要な折り目が入る恐れがあるが、該指穴９と該畳み線３との間の領域を無くせば、不必要な折り目が入るのを防止できる。
【００２５】
図２は閉じ状態固定前の要部透視正面斜視図である。本体１を折り畳んで閉じ状態にする過程は限定ではないが、特許内容を明瞭に説明するために具体的に述べるならば、一方の畳み線３ａを谷折し、他方の畳み線３ｂを山折することで中室４は反転し、外室５の双方は該中室４の前後に折り重なって、本体１を上から見た平面図では、Ｚ状に折り畳まれて閉じ状態になっている。
【００２６】
図２は閉じ状態ではあるが固定前なので、畳み線３の屈折が戻ろうとするので、本体１はバネ状態になっており、該バネ状態を縮めて固定するために、中天切込８と外天切込６の双方を設けており、該中天切込８の正面に他方の外天切込６ｂが重なっており、該中天切込８の背面に一方の外天切込６ａが重なっている。
【００２７】
本体１の下端部にはバネ状態を縮めて固定するための切込を設けていないが、中室４が天広がりの縦長扇形状であることから、本体１の下部のバネ領域は小さくなるので、固定するための切込は無くても良い構造になっている。
【００２８】
図３は閉じ状態固定前の要部透視正面斜視図で下部を破り落とした状態の上部拡大図である。図面下端の不規則な波線は破り落とし線である。
【００２９】
上部拡大図にした理由は、凸縁７どうしの重なり領域が極めて狭く、図示しにくいからである。固定前の状態では他方の外室５ｂは一枚の平面になっており、他方の外天切込６ｂから正面へ食み出ている縁領域は何も無い。
【００３０】
透視線は破線で図示しているが、透視された枚数よって該破線の形状を変えることにし、一枚透視に対して二枚透視の破線間隔は広くし、線も細くすることで区別できるように図示する。符号と連絡する引出し線の先は、一枚透視では一点とし、二枚通しでは二点とすることで、透視枚数を区別している。
【００３１】
本体１上部の天切込の重なり順を正面から述べるならば、他方の外天切込６ｂ、中天切込８、一方の外天切込６ａの順で重なっている。
【００３２】
略垂直状態の中天切込８の略中央を中心点として、他方の外天切込６ｂの上部は右へ僅かに傾斜しており、一方の外天切込６ａの上部は左へ僅かに傾斜しているので、外天切込６どうしは天地に細長いＸ形状で交差しており、該外天切込６双方の上部領域は該中天切込８と略並行な凸縁７にしている。
【００３３】
固定する前の状態で、最前面に位置するのが他方の凸縁７ｂであって右へ突出しており、最背面に位置するのが一方の凸縁７ａであって左へ突出している。該他方の凸縁７ｂと該一方の凸縁７ａとの間に中天切込８が挟まれた状態になっている。
【００３４】
図４は閉じ状態固定後の要部透視正面斜視図で下部を破り落とした状態の上部拡大図である。図面下端の不規則な波線は破り落とし線であり、上部拡大の理由は、前記の図３と同じである。
【００３５】
本体１をＺ形状に折り畳んで折り重なった状態を維持したまま中天切込８の隣接領域を互いに逆方向の前後へ指で挟んで軽く湾曲させることで該中天切込８から凸縁７の双方が食み出し、食み出た該凸縁７の双方の重なり順が双方で逆になることで、該凸縁７の縁領域どうしが僅かに重なり合うので本体１の折畳み状態が固定される。
【００３６】
外天切込６どうしが重なり合った状態での隣接領域の湾曲方向は限定ではないが、凸縁７が突出している面の方向へ湾曲させれば良いのであり、具体的に述べるならば、他方の凸縁７ｂは他方である右側へ突出していて最前面に重なっているので、該他方の凸縁７ｂを有する他方の外天切込６ｂの他方である右側の隣接領域を前へ湾曲させることで該他方の凸縁７ｂは中天切込８から前に食み出た一方の凸縁７ａの後ろ（背面）に重なり合って固定される。
【００３７】
他方である右側へ突出している他方の凸縁７ｂを有する他方の外天切込６ｂの右側領域を背面へ湾曲させても他方の凸縁７ｂは正面へ湾曲するだけなので、一方へ突出する一方の凸縁７ａとの間が空くだけで凸縁７どうしの重なり固定は不可能になる。
【００３８】
一方の凸縁７ａが正面へ食み出し他方の凸縁７ｂは背面へ食み出していることで該凸縁７どうしが僅かに重なり合って本体１の折畳み状態が固定されており、前記の折畳み固定状態の解除は、他方の外室５ｂを正面へ引っ張り、一方の外室５ａを背面へ引っ張ることでカチッと音がして固定状態が解除され、本体１全体を開いて扇ぎ使用することが可能になる。
【実施例２】
【００３９】
図５は開き状態の正面図である。実施例１で設けていた中天切込８の下端部辺りから上部を切り取って中室４の上部に凹部１０を形成したのが実施例２の特徴である。
【００４０】
該凹部１０の形状は限定ではなく、本体２１をＺ形状に折り畳んだ状態で双方の外天切込６どうしが直接接して重なり合えれば問題なく、中室４の上部領域全てを切り取っても良いが、上部が外へ湾曲して開いたＶ字形状の凹部１０にすることで扇ぎ葉２２の全体形状をハート型にすることが望ましく、該ハート型の扇ぎ葉２２を実施例２の代表として図示する。
【００４１】
該凹部１０の中央を凹ませば扇ぎ葉２２はハート型になるが、該凹部１０の中央を凹ませず、適宜に丸く湾出させれば外室５双方の上部が突出するので、熊や猫、犬などの動物の顔にしても良い。
【産業上の利用可能性】
【００４２】
本発明は、広告媒体として使用することもできる。
【符号の説明】
【００４３】
１、２１    本体
２、２２    扇ぎ葉
３ａ、３ｂ  畳み線
４          中室
５ａ、５ｂ  外室
６ａ、６ｂ  外天切込
７ａ、７ｂ  凸縁
８          中天切込
９          指穴
１０        凹部
【図１】
0006277340.tif 000002
【図２】
0006277340.tif 000003
【図３】
0006277340.tif 000004
【図４】
0006277340.tif 000005
【図５】
0006277340.tif 000006